(57)【要約】      （修正有）【課題】洗顔時に水が手から腕へと伝い洗顔後は床が水浸しになることを改善した洗顔用タオルを提供する。【解決手段】布地の両端近傍を脱着自在の連結手段により筒状に構成し、筒状部直径を収縮させる伸縮体を設けた腕輪部２と、腕輪部２の筒状外側表面に設けられた一方の接着手段３と、長方形布地１の２カ所の短辺側端部１４近傍に設けられ前記一方の接着手段３と脱着自在に装着可能な他方の接着手段３とで構成され、長方形布地１の２カ所の短辺側端部１４近傍に腕輪部２を脱着自在に装着可能としたことで手から肘へ流れる水を腕輪部位で吸収し床に水滴を落とすことがなくなり、さらに洗顔後にはとなる中央部のタオルで顔を拭くことが可能となるものである。【選択図】図１
0003182399.tif 000002
【実用新案登録請求の範囲】
【請求項１】
布地の両端近傍を脱着自在の連結手段により筒状に構成し、筒状部直径を収縮させる伸縮体を設けた腕輪部と、前記腕輪部の筒状外側表面に設けられた一方の接着手段と、長方形布地の２カ所の短辺側端部近傍に設けられ前記一方の接着手段と脱着自在に装着可能な他方の接着手段とで構成され、前記長方形布地の前記２カ所の短辺側端部近傍に前記腕輪部を脱着自在に装着可能としたことを特徴とする洗顔用タオル。
【請求項２】
長方形布地の四隅近傍に設けられ、前記長方形布地の隅部近傍同士を脱着自在に装着可能な接着手段と、前記長方形布地の短辺側に前記短辺側の隅部近傍同士を互いに引き寄せる伸縮体とを設けたことを特徴とする洗顔用タオル。
【請求項３】
長方形布地の両端に他の布地を重ねて設け、前記長方形布地の長辺側部と前記他の布地の短辺側部の一端近傍を止め、他端近傍に設けられ前記長方形布地と前記他の布地を脱着自在に装着可能な接着手段と、前記長方形布地と前記他の布地の外側近傍を筒状にして筒状部直径を収縮させる伸縮体とを設けたことを特長とする洗顔用タオル。
【考案の詳細な説明】
【技術分野】
【０００１】
本考案は、一般家庭のタオルの両端に腕輪を設け、両腕に腕輪部を装着することで洗顔時に水滴が肘を伝っても床に落ちずに腕輪部で吸収し、洗顔後に中央部のタオルで顔を拭くことができる腕輪との一体型タオルに関する。
【背景技術】
【０００２】
一般的に洗面所で顔を洗う際、両手で水をすくって顔に水をかけた場合、水が肘を伝って床に落ちていた。そのため洗顔時には、肘から床へと落ちる水を少なくするために、腰を屈めたり肘を洗面台の内側に入れて水垂れを防止していた。特に洗面台のシンクが小さかったり、洗面台が腰より高い場合はより注意して洗顔を行う必要があった。
【０００３】
従来の一般的なタオルは洗顔後に拭くことだけに着目しており、洗顔中における使用用途には適していなかった。
【０００４】
これに対し「洗顔用水たれ防止吸水性腕輪」がある。（例えば、特許文献１参照。）
【先行技術文献】
【特許文献】
【０００５】
【特許文献１】特開平 ２００７-０５１４００号 公報
【考案の概要】
【考案が解決しようとする課題】
【０００６】
以上に述べた従来のタオルを使用した場合、以下の問題点があった。まず一般的なタオルを洗顔で使用する場合、洗顔後にタオルを使用するため、洗顔時に手から肘にかけて水が伝い、洗顔後に床が水浸しになっていた。
【０００７】
次に、「洗顔用水たれ防止吸水性腕輪」は洗顔時の腕を伝う水滴を止める効果はあるものの、タオルとして顔を拭くという本来の機能を失っており、タオルを別途用意して洗顔後に顔を拭く必要があった。また使用者が体の不自由な人や、介護が必要な人の場合、第３者がこのタオルを使用者に装着させるには不向きであった。
【０００８】
本考案は、このような従来の構成が有していた問題点を解決しようとするものであり、主にタオルを洗顔中にも使用できるようにしたものである。
【課題を解決するための手段】
【０００９】
上記第一の課題解決の手段においては次の通りである。布地の両端近傍を脱着自在の連結手段により筒状に構成し、筒状部直径を収縮させる伸縮体を設けた腕輪部と、腕輪部の筒状外側表面に設けられた一方の接着手段と、長方形布地の２カ所の短辺側端部近傍に設けられ一方の接着手段と脱着自在に装着可能な他方の接着手段とで構成され、長方形布地の２カ所の短辺側端部近傍に腕輪部を脱着自在に装着可能としたもので、筒状の腕輪部を両腕に装着することで肘へと流れ落ちる水漏れを防止する。
【００１０】
上記第二の課題解決の手段において、長方形布地の四隅近傍に設けられ、長方形布地の隅部近傍同士を脱着自在に装着可能な接着手段と、長方形布地の短辺側に隅部近傍同士を互いに引き寄せる伸縮体とを設けたものである。これによりタオルを別途用意する必要がなくなり、洗顔直後に腕を回して長方形布地の中央部を掴むことで顔を拭くことが可能となる。また腕輪部には脱着自在の連結手段を設けることで腕輪部の装着方法に柔軟性を与えることが可能となる。
【００１１】
上記第二の課題を解決するためのその他の手段としては、長方形布地の両端に他の布地を重ねて設け、長方形布地の長辺側部と他の布地の短辺側部の一端近傍を止め、他端近傍に設けられ長方形布地と他の布地を脱着自在に装着可能な接着手段と、長方形布地と他の布地の外側近傍を筒状にして筒状部直径を収縮させる伸縮体とを設けたもので、腕を覆う腕輪部をより広く取り水滴の吸収力を上げることが可能となる。
【考案の効果】
【００１２】
請求項１の考案によれば、腕輪部を接着することで手から肘へ流れる水を腕輪部分で吸収することで床に水滴を落とすことがなくなり、さらに洗顔後には長方形布地となる中央部で顔を拭くことが可能となる。そして腕輪部は脱着自在の連結手段で連結しており、第３者でも容易に取り外しが可能となっている。また長方形布地と腕輪部は脱着式のためそれぞれが分離し、別の長方形布地と組み替えて使用することが可能となっている。
【００１３】
請求項２の考案によれば、１つの布地によって長方形布地と腕輪部を構成することで大幅なコストダウンを図ることが可能となる。上記の請求項１と同様に布地によって腕から流れる水を吸収し、洗顔後に中央部分で顔を拭くことが可能となる。
【００１４】
請求項３の考案によれば、長方形布地と他の布地を組み合わせて腕輪部を構成することで請求項１、請求項２の腕輪部よりも広範囲を覆うことができ、これにより水滴をより吸収することが可能となる。さらにその形状からデザインをより際立たせることが可能となる。
【図面の簡単な説明】
【００１５】
【図１】本考案の第１の実施例における洗顔用タオルの組立状態斜視図
【図２】本考案の第１の実施例における洗顔用タオルの組立状態正面図
【図３】本考案の第１の実施例における洗顔用タオルの組立状態側面図
【図４】本考案の第１の実施例における洗顔用タオルの他の組立状態側面図
【図５】本考案の第１の実施例における腕輪部の斜視図
【図６】本考案の第１の実施例における腕輪部の正面図
【図７】同、腕輪部に接着手段を取り付けた状態を示す図６の背面図
【図８】本考案の第１の実施例における腕輪部装着の方法を示す装着図
【図９】本考案の第１の実施例における腕輪部装着時の正面図
【図１０】本考案の第１の実施例における腕輪部装着時の他の装着方法を示す説明図
【図１１】本考案の第２の実施例における洗顔用タオルの展開図
【図１２】本考案の第２の実施例における洗顔用タオルの立体図
【図１３】本考案の第３の実施例における長方形布地の斜視図
【図１４】本考案の第３の実施例における他の布地の斜視図
【図１５】本考案の第３の実施例における洗顔用タオルの斜視図
【図１６】本考案の第３の実施例における洗顔用タオルの正面図
【図１７】本考案の第３の実施例における洗顔用タオルの組立状態正面図
【図１８】本考案の第３の実施例における洗顔用タオルの組立状態斜視図
【図１９】本考案の第１の実施例における洗顔用タオルの使用状態を示す正面図
【図２０】本考案の第１の実施例における洗顔用タオルの使用状態を示す斜側面図
【図２１】本考案の第２の実施例における洗顔用タオルの使用状態を示す正面図
【図２２】本考案の第２の実施例における洗顔用タオルの使用状態を示す斜側面図
【図２３】本考案の第３の実施例における洗顔用タオルの使用状態を示す正面図
【図２４】本考案の第３の実施例における洗顔用タオルの使用状態を示す斜側面図
【考案を実施するための形態】
【００１６】
以下、本考案の実施の形態を図１〜図２４に基づいて説明する。
【００１７】
組立型の洗顔用タオルの説明を行う。
【００１８】
図１〜４は本考案の第１の実施例における構成を示したものである。図１において本考案はまず長方形布地１を設け、その長方形布地１の短辺側部１４両端近傍に接着手段３を設ける。次に腕輪部２を２つ設け、長方形布地１と対となる接着手段３を腕輪部２の筒状外側表面１３に設ける。そして長方形布地１の両端に腕輪部２を接着手段３によって装着する。長方形布地１と腕輪部２を接着手段３で装着することで、もしなんらかの事故により転倒した場合でも容易に拘束がほどけるように構成されている。長方形布地１にはシャーリング地、パイル地、綿地、絹地を使用するのが望ましく、接着手段３には面ファスナー、ホック、ジッパー、ボタン等を使用するのが望ましい。図１において１２は筒状部直径である。
【００１９】
図１〜４、図１９、図２０を用い第１の実施例における動作を説明する。図１において本考案を使用する場合はまず、腕輪部２を腕に通し、長方形布地１の両端に設けた接着手段３と腕輪部２に設けた対になる接着手段３で装着させ、組み立てた状態で洗顔を行う。図１９、図２０は洗顔時の洗顔用タオルの使用状態を示す図となる。図１９において使用者３５が洗顔中に腕を伝う水滴は腕輪部２によって吸収され床には落ちなくなる。洗顔後は腕を内側へ巻き込むことで中央の長方形布地１で顔を拭くことが可能となる。さらに使用後に腕輪部２を腕から取り外す動作そのものが水を拭き取る動作となるため効率的に水分を拭き取ることが可能となっている。また接着手段３への付け方によって図３のように長方形布地１の半分程度で接着手段３を止めて長方形布地１の幅を広く使用する方法、図４のように長方形布地１を腕輪部２の側面を一回りするように接着させて使用する方法がある。これは使用者３５の好みによって変更することが可能となる。
【００２０】
図５〜図７は本考案の第１の実施例における腕輪部２の構成を示したものである。図６において本考案は布地１１を２つに折り、布地を絞るための伸縮体５を布地１１内部に通し、伸縮体５の両端と伸縮体５に平行した縫い目６、縫い目７の位置を縫い止めし、伸縮体５を固定する。次に腕輪部２の縫い目８、９を縫い止めすることで袋状に形成する。そして袋状になった腕輪部２を内側と外側をひっくり返す。これにより縫い目６〜９を隠すことができるようになる。ここからは図７を基に説明する。図７においては縫い目６〜９の表示を省略している。図７において本考案は袋状になった腕輪部２の縫い目８の位置を縫い止めして袋を閉じる。次に腕輪部２の筒状外側表面１３に接着手段３を設け、腕輪部２を輪状にした場合に布地１１の表裏が合わさる位置に対になる連結手段４を設ける。布地１１にはシャーリング地、パイル地、綿地、絹地を使用するのが望ましく、伸縮体５にはゴム紐を使用するのが望ましく、連結手段４にはホック、フック、スナップ、面ファスナー、クリップ、バックル、ボタン等を使用するのが望ましい。
【００２１】
図８〜図１０を用い第１の実施例における装着方法を説明する。本考案の腕輪部２の装着方法は図８、図９のように腕輪部２を開いた状態で腕１５に巻きつけ、連結手段４によって連結して装着する方法、図１０のように腕輪部２を連結手段４で連結した状態で腕１２に通す方法がある。１６、１７の矢印は装着方向を示している。腕輪部２は上記のいずれかの方法を用いて装着する。こうすることで老若男女、体の不自由な方でも第３者を介して容易に腕輪部２の装着が可能となる。
【００２２】
次に一体型の洗顔用腕輪タオルについての説明を行う。
【００２３】
図１１、図１２は本考案の第２の実施例における構成を示したものである。図１４において本考案は長方形布地１８を設け、長方形布地１８の両端を数cm内側に折り込んで縫い目２１を縫い止めて筒状にし、その中に伸縮体１９を挿入し、伸縮体１９の両端を縫い目２２で縫い止めして固定し、長方形布地１８の四隅部近傍の位置に脱着自在に装着可能となる接着手段２０を設ける。ここからは図１２を基に説明する。図１２において長方形布地１８を縦方向に折り曲げて長方形布地１８の両端にある接着手段２０で接着し腕輪部２３にしたもので、これにより伸び縮みが可能な腕輪付きの洗顔用タオルとなる。図１１において長方形布地１８の生地はシャーリング地、パイル地、綿地、絹地が望ましい。
【００２４】
図１２、図２１、図２２を用い第２の実施例における動作を説明する。図２１において本考案を使用する場合は長方形布地１８の両端にある腕輪部２３に腕を通した状態で洗顔を行う。使用者３５が洗顔中に腕を伝う水滴は腕輪部２３によって吸収され床には落ちなくなる。洗顔後は腕を内側から巻き込んで中央の長方形布地１８で顔を拭くことが可能となる。また腕輪部２３は接着手段２０によって脱着ができるようになっており、第３者が使用者に取り付ける場合には腕に巻きつけてから接着手段２０で接着することでも装着することが可能となる。一つの長方形布地１８だけで構成するため組立型よりもコストを比較的抑えることができる点が最も大きな特徴となる。
【００２５】
図１３〜１８は本考案の第３の実施例における構成を示したものである。図１３〜図１６において本考案は長方形布地２４を設け、長方形布地２４の短辺側の幅と同じ他の布地２７を２つ設けて長方形布地２４の両側に上下に重ねて配置し、長方形布地２４及び他の布地２７の外側近傍を折り曲げ縫い目２５、２８を縫い止め外側近傍を筒状にしておく。次に他の布地の短辺側の一端３２の縫い目３０を縫い止め、長方形布地２１と他の布地２４を接着し２つの布地を裏返しする。これにより縫い目２７を隠すことが可能となる。ここからは図１７、図１８を基に説明する。図１７、図１８において長方形布地２４、他の布地２７の他端３３を丸めるように重ね合わせ、２つの布地が重なる位置に脱着自在になるよう接着手段２６を設ける。最後に長方形布地２４、他の布地２７の外側近傍に設けた筒状の中に筒状部直径３１を絞るための伸縮体２９を通す。これにより腕に装着した場合に腕輪部３４が収縮し、腕に固定することが可能となる。図１３において長方形布地２４の生地はシャーリング地、パイル地、綿地、絹地が望ましい。図１４において他の布地２７は矩形が望ましく、生地はシャーリング地、パイル地、綿地、絹地が望ましい。
【００２６】
図１３〜１８、図２３、図２４を用い第３の実施例における動作を説明する。図２３において本考案を使用する場合は長方形布地２４と他の布地２７によって構成された腕輪部３４に腕を通した状態で洗顔を行う。使用者３５が洗顔中に腕を伝う水滴は腕輪部３４によって吸収され床には落ちなくなる。洗顔後は腕を内側から巻き込んで中央の長方形布地２４で顔を拭くことが可能となる。また腕輪部３４は接着手段２６によって脱着がしやすいようになっている。第２の実施例よりも腕を覆う布地の範囲が広いため、より広範囲の腕輪部３４で水滴を吸収することが可能となる。
【符号の説明】
【００２７】
１       長方形布地         （シャーリング地、パイル地、綿地、絹地）
２       腕輪部
３       接着手段           （ホック、スナップ、面ファスナー、ジッパー、ボタン）
４       連結手段           （ホック、スナップ、面ファスナー、クリップ、バックル、ボタン）
５       伸縮体             （ゴム紐）
１１     布地               （シャーリング地、パイル地、綿地、絹地）
１２     筒状部直径
１３     筒状外側表面
１４     短辺側端部
１８     長方形布地         （シャーリング地、パイル地、綿地、絹地）
１９     伸縮体             （ゴム紐）
２０     接着手段           （ホック、スナップ、面ファスナー、ジッパー、ボタン）
２４     長方形布地         （シャーリング地、パイル地、綿地、絹地）
２６     接着手段           （ホック、スナップ、面ファスナー、ジッパー、ボタン）
２７     他の布地           （シャーリング地、パイル地、綿地、絹地）
２９     伸縮体             （ゴム紐）
３２     一端
３３     他端
３１     筒状部直径
【図１】
0003182399.tif 000003
【図２】
0003182399.tif 000004
【図３】
0003182399.tif 000005
【図４】
0003182399.tif 000006
【図５】
0003182399.tif 000007
【図６】
0003182399.tif 000008
【図７】
0003182399.tif 000009
【図８】
0003182399.tif 000010
【図９】
0003182399.tif 000011
【図１０】
0003182399.tif 000012
【図１１】
0003182399.tif 000013
【図１２】
0003182399.tif 000014
【図１３】
0003182399.tif 000015
【図１４】
0003182399.tif 000016
【図１５】
0003182399.tif 000017
【図１６】
0003182399.tif 000018
【図１７】
0003182399.tif 000019
【図１８】
0003182399.tif 000020
【図１９】
0003182399.tif 000021
【図２０】
0003182399.tif 000022
【図２１】
0003182399.tif 000023
【図２２】
0003182399.tif 000024
【図２３】
0003182399.tif 000025
【図２４】
0003182399.tif 000026